(57)【要約】【課題】本発明は、水流エネルギーを上下左右の振動エネルギーに変換させたり、把持運動エネルギーに変換させて水中、即ち入浴しながらマッサージできるマッサージ器を提供するものである。【解決手段】本発明は、水道蛇口やジェツト流出口からの水流を羽根車に当て該羽根車を回転駆動させ、この回転駆動軸の先端に取付けたクランク機構にようて上下左右に振動させる振動子を取付けて水中でもマッサージ可能にしたマッサージ器や、又は、前記回転駆軸の先端に取付けたクランク機構によって掴片を前後動させて肩や腕等を掴み（挟持）局部を揉むマッサージ器とか、又は、前記回転駆軸の先端に取付けたクランク機構によってクランプ機構を開閉させて肩や腕等を挟持（把持）させて局部を揉むマッサージ器とである。【選択図】　　　図４
2004033704.tif 000002
【特許請求の範囲】
【請求項１】
蛇口やジェツト流出口からの水流を回転運動に変換する回転駆動手段と、該回転運動を伝達する回転伝達手段と、該回転伝達手段からの回転運動をクランク機構に設けた振動杆よって上下左右動に変換する振動手段と、該振動手段の先端にはマッサージ用アタッチメントを装着して成ることを特徴とした入浴中に用いるマッサージ器。
【請求項２】
振動杆の中間支持位置を移動することによって左右動の振動幅を調節可能な手段が講じられていることを特徴とした請求項１記載の入浴中に用いるマッサージ器。
【請求項３】
蛇口やジェツト流出口からの水流を回転運動に変換する回転駆動手段と、該回転運動を伝達する回転伝達手段と、該回転伝達手段からの回転運動をクランク機構に設けた操作杆によってマッサージ用アタッチメントを動かし、該マッサージ用アタッチメントによって腕や肩等の局部を掴むようにマッサージすることを特徴とした入浴中に用いるマッサージ器。
【請求項４】
蛇口やジェツト流出口からの水流を回転運動に変換する回転駆動手段と、該回転運動を伝達する回転伝達手段と、該回転伝達手段からの回転運動をクランク機構に設けられた操作杆よってマッサージ用アタッツメントを装着したクランプ機構を開閉するようにして腕や肩等の局部を掴むようにマッサージすることを特徴とした入浴中に用いるマッサージ器。
【請求項５】
腕や肩等を掴むマッサージ用アタッチメントの間隔を変更可能な手段を設けたことを特徴とした請求項３又は４記載の入浴中に用いるマッサージ器。
【請求項６】
回転駆動手段に供給される水流がポンプから供給されることを特徴とした請求項１乃至５のいずれか１項に記載の入浴中に用いるマッサージ器。
【請求項７】
蛇口やジェツト流出口からの水流を回転運動に変換する回転駆動手段に代えて、電動機を使用することを特徴とした請求項１乃至５のいずれか１項に記載の入浴中に用いるマッサージ器。
【発明の詳細な説明】
【０００１】
【発明の属する技術分野】
本発明は、水流を羽根車機構によって回転運動に変換して、入浴しながらでもマッサージができるマッサージ器に関するものである。
【０００２】
【従来の技術】
マッサージ器には、電気駆動、水流駆動、空気駆動のものがあるが、従来の振動子は上下又は左右の一方向に振動させて局部を揉むマッサージ器とか、局部を把持して揉みほぐすマッサージ器等がある。
【０００３】
【発明が解決しようとする課題】
しかしながら、従来のマッサージ器はお風呂の中で使用しようとする思想は存在してなかった。
そこで本発明は、水流エネルギーを上下左右の振動エネルギーに変換させたり、
把持運動エネルギーに変換させて水中、即ち入浴しながらマッサージできるマッサージ器を提供するものである。
【０００４】
【課題を解決するための手段】
上記の目的を達成するために本発明は
１．　請求項１及び２記載の発明を図１に示すように、温水（水道）の蛇口又は浴槽のジェツト流出口からの水流を回転運動に変換する回転駆動手段と、該回転運動を伝達する回転伝達手段と、該回転伝達手段からの回転運動をクランク機構に設けた振動杆よって上下左右動に変換する振動手段と、該振動手段の先端にはマッサージ用アタッチメントが装着して成ることを特徴とした水流駆動機を用いたマッサージ器である。
【０００５】
本発明をより詳細に説明する。
水流を回転運動に変換する回転駆動手段とは、図１に示す如く、筒内に複数の羽根を軸に取付けた構造とか、図２に示す如く、螺旋状の回転子から構成した回転手段等である。これらの羽根の大きさや枚数、又は螺旋のピッチや回転子等の形状等は必要とする回転力の強さによって適宜に選定すればよい。
又、回転力や回転数を調整するために回転駆動手段の入口に流量調節バルブを設けるとか、通常のギヤ機構を回転駆動手段とか回転伝達手段又は振動手段等の適宜な駆動軸部に設けるとか、更に、起動停止の操作機能をも設けるとよい。
回転運動を伝達する手段とは、前記の回転駆動手段の回転力を振動手段に伝達する手段であるので、この伝達手段の長さを特に限定するものではない。
即ち、回転駆動手段と振動手段とを直結する手段も本発明の手段である。
しかし、回転駆動手段と振動手段とを直結した場合、羽根車の形状や枚数によって回転駆動手段の形状が大きくなったり、ジェツット口から回転駆動手段までのホースがジェツト流によって激しく揺れる等の問題が発生するときもあるので、回転駆動手段をジェツト口近傍に取付け、該回転駆動手段の回転力をフレキシュブルで柔軟なワイヤで振動手段まで伝達した方が好ましい。
尚、請求項７記載の電動機を使用する場合にも、電動機を浴槽外に置き、適度な長さの回転伝達手段を使用して、腕や股等をマッサージする方が操作し易く、便利である。
上下左右動の振動手段とは、前記回転伝達手段の先端部にクランク機構を設け、該クランク機構に振動杆を設けた。
この振動杆が上下左右動に振動する。該上下動の振動幅はクランクの屈曲幅と同等であるが、左右動の振動幅は振動杆の中央部位を支える支持腕の位置を変えることによって調整できる構造にするとよい。
振動子、即ち、アタッチメントは振動杆の先端に取付けられている。
このアタッチメントは肌に優しく当るようにソフトな樹脂性の物が好ましく、
特に限定するものではないが、取替え可能なように前記振動杵の振動子片に装着するとよい。
【０００６】
２・　請求項３・５記載の発明を図２に示すように、温水（水道）の蛇口又はジェツト流出口からの水流を回転運動に変換する回転駆動手段と、該回転伝達手段からの回転運動をクランク機構に設けられた操作杆よってマッサージ用アタッツメントを装着した掴片の間隔を動かし腕や肩等の局部を掴むようにマッサージすることを特徴とした水流駆動機を用いたマッサージ器である。　尚、前記マッサージ用アタッチメントの間隔、即ち掴片の間隔を変更可能な手段を講じるとよい。
【０００７】
本発明をより詳細に説明する。
水流を回転運動に変換する回転駆動手段及び、回転運動を伝達する手段は、上述と同等の構造でよいので省略する。
回転運動を伝達する回転伝達手段は先端に、回転運動を往復運動に変換するクランク機構に操作杆を設け、該操作杆のよって肩や腕等の局部を掴むようにマッサージ用アタッチメントを装着した掴片を開閉するように動かす。
また、アタッチメントの間隔を変更できるようにするには、少なくとも一方の掴片を移動可能な構造にするとか、操作杆にネジ機構を設けて長さを変更可能な手段等を講じればよい。
このようにしてアタッチメントの間隔を変更できる構造にすれば一台で肩、腕、股等にも適用でき便利である。
尚、図示しないが前後２個の掴片をクランク機構によって開閉動させてもよい。
又、図２では、回転軸とクランク機構の操作杆とを同方向にするために、回転伝達手段の回転軸とクランク機構とを歯車機構を介して連結させているが、本発明では特別限定するものではない、適宜に選択すればよい。
但し、歯車機構を設けることによって、クランクの回転数等を変更出来る等の利点がある。
【０００８】
３．　請求項４・５記載の発明を図３に示すように、２枚の挟持片（２０）によってクランプ機構を構成し腕や肩等を掴むようにしているが、該クランプ機構は回転伝達手段の先端に設けたクランク機構の操作杆の往復運動によってクランプ機構の開閉片（２１）を前後動させてクランプを開閉するように構成した。
該クランプ機構の挟持片の先端には腕や肩を挟むアタッチメントが装着されている。
本発明でもクランプ機構の２枚の挟持片間隔を変更する方法として、上述の如く操作杆にネジ機構を設けて長さを変更可能にするとよい。
【０００９】
４．　請求項６記載の発明は、例えば、前記のマッサージ器に使用する適当な水流源の蛇口やジェツト流出口が浴槽にない場合に使用するものであって、その水流源としてポンプを設置して該ポンプからの水流を利用するものである。
該ポンプは浴槽外に固定してもよいし、浴槽内に持運び容易な水中ポンプを使用してもよい。
【００１０】
５．　請求項７記載の発明は、水流を利用する回転駆動手段の代りに、通常の電動機を使用し、回転伝達手段を介して前記クランク機構を回転駆動させるものである。　該電動機の電源は、通常の電力や乾電池でよい。
電動機を使用すれば、浴槽内外でも使用でき、使用場所が広がりそれなりの効果が生じるが、しかし、入浴しながらマッサージするに勝るものはない。
【００１１】
【発明の実施の形態】
本発明は図１〜４に示すように、水道蛇口やジェツト流出口からの水流を羽根車に当て該羽根車を回転駆動させ、この回転駆動軸（回転伝達手段）の先端に取付けたクランク機構によってアタッチメントを上下左右に振動する構造をしたマッサージで、水中でもマッサージ可能なマッサージ器や、
又は、前記回転駆動軸の先端に取付けたクランク機構によって掴片を前後動させて肩や腕等を掴み（挟持）局部を揉みほぐすマッサージ器とか、
又は、前記回転駆動軸の先端に取付けたクランク機構によってクランプ機構を開閉するようにして肩や腕等を掴み（把持）局部を揉みほぐすマッサージ器である。
尚、本発明のマッサージ器は、入浴しながら、該マッサージ器を手で持ち腕や肩や足、股部等の望むところに振動を与えたり又は局部を掴むようにして揉みほぐすのである。
【００１２】
【実施例】
請求項１〜２記載の発明の第１実施例を図１に示す。
風呂の温水ジエット流出口に流量調節バルブ（１４）を設けたホースを取付け、その先端には数枚の羽根車（１）を駆動軸（２）に装着して、ジエット流によって羽根車を回転させる回転駆動手段（３）を構成した。
該回転駆動手段の回転力を振動手段に伝達す手段として、自在に屈曲するフレキシブルな柔軟なワイヤ（４）から成る回転伝達手段（５）を構成した。
振動手段（１２）は回転伝達手段のワイヤ（４）の先端にクランク機構（６）を軸支させ、該クランク機構には振動杆（７）を取付けた。
この振動杆（７）の先端に取付けた振動子片（９）にアタッチメント（１０）を装着した。
この振動杆が上下左右に振動するのであるが、該振動子片の左右動の幅を調整可能なように、振動杆の中央部位を支える支持腕（８）の位置を移動するネジ機構の調整ツマミ（１１）を設けた。
アタッチメントは肌に優しく当るようにソフトな樹脂性の物が好ましく、又取替え可能なように振動子片に装着されている。
尚、ジェツト流は回転駆動機構を通過すれば、排水口（１３）から排水される。
本発明の使用状態を図４に示す。
【００１３】
請求項３．５記載の発明の第２実施例を図２に示す。
回転駆動手段は駆動軸（２）に螺旋状の回転子（２５）を設けた構造である。
この回転子（２５）は軸に対して４０〜５０度の角度を設けて取付けた。
回転伝達手段は上述と同様なので省略する。
回転運動を伝達する回転伝達手段の先端に、歯車機構（１５）を介してクランク機構（６）を軸支させ、該クランク機構の操作杆（１６）を前後動、即ち往復動させる。
該操作杆の先端には掴片（１７）を取付け、該掴片は（Ａ）を支点にした開閉動させ、他方掴片（１７ａ）とで肩や腕等を掴むようにマッサージするのである。
アタッチメント（１８）は掴片（１７）（１７ａ）に取替え可能なように装着されている。
２個の掴片の間隔を変更可能なように一方の掴片（１７ａ）をネジ機構の調節ツマミ（１９）を操作すれば移動可能な構造にした。
更に、操作杆の長さを変更可能なようにネジ機構（２４）を設けて掴片（１７）の開放度合を可変にし（１７）（１７ａ）の間隔を変更可能にした。
本発明の使用状態を図４に示す。
【００１４】
請求項４．５記載の発明の第３実施例を図３に示す。
回転駆動手段及び回転伝達手段は第１実施例と同様なので省略する。
本発明は２枚の挟持片（２０）によってクランプ機構（２２）を構成し、該クランプ機構で肩や腕の凝った部を掴み揉みほぐす構造に特徴がある。
回転伝達手段の先端に軸支したクランク機構（６）の操作杆（１６）と、クランプ機構の２枚の開閉片（２１）の支点Ｂとを連結し、操作杆の往復動でクランプ機構の挟持片（２０）を開閉するように構成した。
このようにクランプ機構の開閉動によって、肩や腕の凝り部を掴み揉みほぐすのである。
尚、前記挟持片にはアタッチメント（２３）が取り替え可能なように装着されている。　又、操作杆の長さを変更可能なようにネジ機構（２４）を設けた。
本発明の使用状態を図４に示す。
【００１５】
請求項６及び７記載の発明の実施例の使用状態を図４で示すが、浴槽内に水中ポンプを入れて、その水流で図３に示す回転駆動手段を使用してマッサージを行った。
又、小型の電動機を回転伝達手段に連結して、入浴しながらマッサージを行った。
【００１６】
【発明の効果】
本発明によって、従来のマッサージ器では不可能であった、入浴しながら、手軽に肩や腕等を揉みほぐすことが可能になり、温浴効果を加味されて従来にない心地良いマッサージが可能になった。
【図面の簡単な説明】
【図１】本発明の第１実施例を示す平面図である。
【図２】本発明の第２実施例を示す平面図である。
【図３】本発明の第３実施例を示す平面図である。
【図４】本発明の浴槽内で使用している状態を示す図である。
【符号の説明】
１．羽根車　　　　　　　　　　　２．駆動軸
３　回転駆動手段　　　　　　　　４．ワイヤ
５．回転伝達手段　　　　　　　　６．クランク機構
７．振動杆　　　　　　　　　　　８　支持腕
９．振動子片　　　　　　　　　　１０．アタッチメント
１１．支持腕移動調節ツマミ　　　１２．振動手段
１３．排水口　　　　　　　　　　１４．流量調節バルブ
１５　歯車機構　　　　　　　　　１６．操作杆
１７．１７ａ　掴片　　　　　　　１８．アタッチメント
１９．掴片間隔調整ツマミ　　　　２０．挟持片
２１．開閉片　　　　　　　　　　２２．クランプ機構
２３．アタッチメント
２４．操作杆長さ変更用ネジ機構
２５　螺旋状の回転子　　　　　　２６　水中ポンプ
２７．電動機
【図１】
2004033704.tif 000003
【図２】
2004033704.tif 000004
【図３】
2004033704.tif 000005
【図４】
2004033704.tif 000006